(57)【要約】【課題】クイズやアンケート等の設問処理を実行し、回答と共に地域情報の収集が可能な設問処理システムを提供すること。【解決手段】携帯電話１は、例えばテレビ番組と連動するサーバ２からクイズ等の設問情報を取得すると共に、ＧＰＳ機能等を利用して携帯電話１の位置情報を取得する。そして、設問に対するサーバ２への回答情報に位置情報を付加する。サーバ装置２は、設問処理に必要な情報を送信し、回答情報および位置情報を受信する。そして、位置情報を地域情報に変換し、回答情報を地域情報別に集計する。携帯電話１は更に番組連動処理スケジュール情報を取得し、このスケジュール情報に従って指定された設問処理を実行するようにしてもよい。本システムによってユーザが設問に回答するときにユーザの地域情報が自動的に取得できる。【選択図】図１
2005332161.tif 000002
【特許請求の範囲】
【請求項１】
情報処理機能とデータ通信機能を有する携帯端末において、
サーバ装置から設問情報を取得する設問情報取得手段と、
前記設問情報に含まれる質問文を表示する表示手段と、
携帯端末の位置情報を取得する位置情報取得手段と、
ユーザが入力する回答情報に前記位置情報を付加して前記サーバ装置に送信する回答手段と
を備えたことを特徴とする携帯端末。
【請求項２】
前記位置情報取得手段はＧＰＳを利用して緯度情報および経度情報を出力する緯度経度情報出力手段であることを特徴とする請求項１に記載の携帯端末。
【請求項３】
情報処理機能とデータ通信機能を有する携帯端末のコンピュータを、
サーバ装置から設問情報を取得する設問情報取得手段、
前記設問情報に含まれる質問文を表示する表示手段、
前記携帯端末の位置情報を取得する位置情報取得手段、
ユーザが入力する回答情報に前記位置情報を付加して前記サーバ装置に送信する回答手段
として機能させるための設問処理プログラム。
【請求項４】
通信網を介して携帯端末と通信可能なサーバ装置において、
前記携帯端末からの要求に応じて設問処理に必要な設問情報を送信する情報送信手段と、
前記携帯端末から送信された回答情報および位置情報を受信する受信手段と、
前記位置情報を地域情報に変換する手段と、
前記回答情報を前記地域情報別に集計する集計手段と
を備えたことを特徴とするサーバ装置。
【請求項５】
更に、前記携帯端末へ番組と連動する設問処理のタイムスケジュール情報を送信するスケジュール送信手段を備えたことを特徴とする請求項４に記載のサーバ装置。
【請求項６】
更に、前記受信手段によって受信された情報中に位置情報がない場合に、当該情報を送信した前記携帯端末の属する通信網を識別し、その通信網から当該携帯端末の位置情報を取得する端末位置情報取得手段を備えたことを特徴とする請求項５に記載のサーバ装置。
【請求項７】
サーバ装置から設問情報を取得する設問情報取得手段と、前記設問情報に含まれる質問文を表示する表示手段と、携帯端末の位置情報を取得する位置情報取得手段と、ユーザが入力する回答情報に前記位置情報を付加して前記サーバ装置に送信する回答手段を備えた、情報処理機能とデータ通信機能を有する携帯端末、
前記携帯端末からの要求に応じて設問処理に必要な設問情報を送信する情報送信手段と、前記携帯端末から送信された回答情報および位置情報を受信する受信手段と、前記位置情報を地域情報に変換する手段と、前記回答情報を前記地域情報別に集計する集計手段とを備えた、通信網を介して前記携帯端末と通信可能なサーバ装置、
からなることを特徴とする設問処理システム。
【請求項８】
携帯端末が設問処理に必要な情報をサーバ装置から取得して設問処理を実行するステップ、
前記携帯端末の位置情報を取得するステップ、
前記携帯端末が設問処理における前記サーバ装置への回答情報に前記位置情報を付加して前記サーバ装置に送信するステップ、
前記サーバ装置において前記位置情報を地域情報に変換するステップ、
前記サーバ装置において前記回答情報を前記地域情報別に集計するステップ
を含むことを特徴とする設問処理方法。
【請求項９】
更に、前記携帯端末が前記サーバ装置から番組と連動する処理のタイムスケジュール情報を取得して保存するステップ、
前記携帯端末において前記タイムスケジュール情報に従って設問処理を起動するステップ
を含むことを特徴とする請求項８に記載の設問処理方法。
【発明の詳細な説明】
【技術分野】
【０００１】
本発明は、携帯端末、設問処理プログラム、サーバ装置、設問処理システムおよび設問処理方法に関するものであり、特に、クイズやアンケート等の設問処理を行うと共に地域情報の収集が可能な携帯端末、設問処理プログラム、サーバ装置、設問処理システムおよび設問処理方法に関するものである。
【背景技術】
【０００２】
従来、テレビ等の放送番組とネットワークに接続された端末との連動システムが各種提案されている。例えば、下記の特許文献１には、メディア連動インターネットコンテンツ表示システムが開示されている。このシステムにおいては、例えばテレビで広告を視聴しているユーザが端末を操作することにより、該当する商品のホームページを表示させるようにしたものである。
【特許文献１】特開２００２−３１２６７９号公報
【発明の開示】
【発明が解決しようとする課題】
【０００３】
上記した従来の放送連動システムは、単に広告と関連するホームページを表示するという機能であり、ユーザは予め地域情報をユーザ登録しておくものであった。従って、地域情報を取得するためにはユーザの登録が必須であるが、登録に手間がかかり、またユーザは個人情報を入力することを嫌うので、多くのユーザを獲得するのが困難であるという問題点があった。また、一度登録したユーザは転居しても登録内容の変更を行うメリットがないので変更をしない可能性が高く、ユーザが現在テレビを視聴している地域とユーザ登録された地域とが異なる可能性があるという問題点もあった。
【０００４】
本発明の目的は、上記した問題点を解決し、クイズやアンケート等の設問処理を実行し、回答と共に地域情報の収集が可能な携帯端末、設問処理プログラム、サーバ装置、設問処理システムおよび設問処理方法を提供することにある。
【課題を解決するための手段】
【０００５】
本発明の携帯端末は、情報処理機能とデータ通信機能を有する携帯端末において、サーバ装置から設問情報を取得する設問情報取得手段と、前記設問情報に含まれる質問文を表示する表示手段と、携帯端末の位置情報を取得する位置情報取得手段と、ユーザが入力する回答情報に前記位置情報を付加して前記サーバ装置に送信する回答手段とを備えたことを主要な特徴とする。
また、前記携帯端末において、前記位置情報取得手段はＧＰＳを利用して緯度情報および経度情報を出力する緯度経度情報出力手段であってもよい。
【０００６】
本発明の設問処理プログラムは、情報処理機能とデータ通信機能を有する携帯端末のコンピュータを、サーバ装置から設問情報を取得する設問情報取得手段、前記設問情報に含まれる質問文を表示する表示手段、前記携帯端末の位置情報を取得する位置情報取得手段、ユーザが入力する回答情報に前記位置情報を付加して前記サーバ装置に送信する回答手段として機能させることを主要な特徴とする。
【０００７】
本発明のサーバ装置は、通信網を介して携帯端末と通信可能なサーバ装置において、前記携帯端末からの要求に応じて設問処理に必要な設問情報を送信する情報送信手段と、前記携帯端末から送信された回答情報および位置情報を受信する受信手段と、前記位置情報を地域情報に変換する手段と、前記回答情報を前記地域情報別に集計する集計手段とを備えたことを主要な特徴とする。
【０００８】
また、前記サーバ装置は更に、前記受信手段によって受信された情報中に位置情報がない場合に、当該情報を送信した前記携帯端末の属する通信網を識別し、その通信網から当該携帯端末の位置情報を取得する端末位置情報取得手段を備えていてもよい。更に、前記携帯端末へ番組と連動する設問処理のタイムスケジュール情報を送信するスケジュール送信手段を備えていてもよい。
【０００９】
本発明の設問処理システムは、サーバ装置から設問情報を取得する設問情報取得手段と、前記設問情報に含まれる質問文を表示する表示手段と、携帯端末の位置情報を取得する位置情報取得手段と、ユーザが入力する回答情報に前記位置情報を付加して前記サーバ装置に送信する回答手段を備えた、情報処理機能とデータ通信機能を有する携帯端末、および前記携帯端末からの要求に応じて設問処理に必要な設問情報を送信する情報送信手段と、前記携帯端末から送信された回答情報および位置情報を受信する受信手段と、前記位置情報を地域情報に変換する手段と、前記回答情報を前記地域情報別に集計する集計手段とを備えた、通信網を介して前記携帯端末と通信可能なサーバ装置からなることを主要な特徴とする。
【００１０】
本発明の設問処理方法は、携帯端末が設問処理に必要な情報をサーバ装置から取得して設問処理を実行するステップ、前記携帯端末の位置情報を取得するステップ、前記携帯端末が設問処理における前記サーバ装置への回答情報に前記位置情報を付加して前記サーバ装置に送信するステップ、前記サーバ装置において前記位置情報を地域情報に変換するステップ、前記サーバ装置において前記回答情報を前記地域情報別に集計するステップを含むことを主要な特徴とする。
【００１１】
前記した設問処理方法は更に、前記携帯端末が前記サーバ装置から番組と連動する処理のタイムスケジュール情報を取得して保存するステップ、前記携帯端末において前記タイムスケジュール情報に従って設問処理を起動するステップを含んでいてもよい。
【発明の効果】
【００１２】
本発明の装置および方法は上記のような特徴によって、携帯電話機を所有するユーザがテレビ番組等に参加して設問に答えることができ、かつユーザの地域情報が取得できるので、地域情報を番組に反映させることにより番組の内容がより興味を引くものとなり、番組の視聴率およびサーバへのアクセス数、サーバの提供するサービスの利用数が増加するという効果がある。また、ユーザが地域情報を登録する必要がなく、現在の地域情報が自動的に収集されるので、操作性、利便性が向上するという効果もある。更に、番組や広告に対するユーザの反応を直接、リアルタイムかつ地域別に収集することができるので、マーケティングリサーチの有効なツールとして使用可能であるという効果もある。
【発明を実施するための最良の形態】
【００１３】
以下、本発明を実施するための最良の形態について、図面を参照して詳細に説明する。本実施の形態では、端末として携帯電話機を使用する例を開示する。但し、本発明はインターネットに接続してＷｅｂ閲覧が可能な任意の端末について適用可能である。
【００１４】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザを標準装備しており、更に本発明によるアプリケーションプログラムをダウンロードして記憶可能である。
【００１５】
サーバ２はデータベース３を備え、Ｗｅｂサーバ、メールサーバ、アプリケーションサーバ等の機能を有する。サーバ２はインターネット４、携帯電話網５を介して携帯電話１やパソコンなどの端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１６】
ＴＶ放送局１０は、公知のテレビ番組の放送機能を有すると共に、インターネット４を介してサーバ２にアクセスし、例えばＷｅｂ上のアンケート集計結果等のデータを閲覧し、必要に応じて番組（放送画面）に取り込む機能を備えている。但し、ＴＶ放送局１０がサーバ２にアクセス可能に構成されていなくても本発明は実施可能である。テレビ受信機１１は携帯電話１のユーザが所有する公知のテレビ受信機である。本発明のシステムによって、ユーザはテレビ受信機１１によって例えばクイズ番組を見ながら、携帯電話１を使用してクイズに参加することができる。
【００１７】
図２は、本実施の形態による携帯電話１の内部構成例を示すブロック図である。携帯電話１は、制御部２０、通信制御部２１、表示部２３、入力部２４、音声／サウンド制御部、時計部２８、ＧＰＳ制御部２９、記憶部３０を備え、各回路はバス２９によって接続されている。
【００１８】
情報処理機能を実行する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされた本発明に関するアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１９】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００２０】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部に現在時刻情報を提供する。ＧＰＳ制御部２９は、公知のＧＰＳ衛星からの電波を受信することにより、緯度、経度情報を出力する。この他、赤外線通信機能、近距離無線通信機能、外部機器接続機能、カメラ機能、（デジタル）テレビあるいは（デジタル）ラジオ受信機能、メモリカードスロット等を備えていてもよい。
【００２１】
図３は、本実施例によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ（Operating system）、サーバプログラムおよび本発明の機能を実現するアプリケーションプログラムを実行することにより、サーバ全体を制御する。
【００２２】
記憶部４２は例えばハードディスク装置を備え、ＯＳ、公知あるいは本発明による各種アプリケーションプログラム、データ等を記憶している。通信制御部４３は、図示しないルータやファイヤウォールサーバを介してインターネット４に接続され、インターネット４を介して携帯端末などとの双方向通信を実行する。時計部４５は現在時刻を計時し、制御部４１に提供する。データベースインタフエース部４４はデ−タベース３に接続され、データベース２との間でデータ授受を行う。
【００２３】
以下に、本発明による設問処理の機能および動作を説明する。図４は、本発明の設問（クイズあるいはアンケート）処理の内容を示すフローチャートである。なお、縦線は時間の経過を示し、横点線は情報、データ、情報の移動を示している（他の図も同じ）。この処理は、例えばクイズ番組を視聴しているユーザがこの番組に参加したい場合に実行される。
【００２４】
Ｓ５０においては、ユーザが携帯電話のブラウザを起動し、所定のサーバ２にアクセスし、サーバ２に設問データを要求する。Ｓ５１においては、サーバが設問データおよび回答番号情報を送信する。設問データは例えば「これは何でしょうか？」というようなクイズあるいはアンケートの質問文であってもよく、回答番号情報は例えば「１、２、３」あるいは「３個」というような回答可能番号情報あるいは選択肢の数情報である。
【００２５】
Ｓ５２においては、ブラウザが設問の質問文および回答番号のアイコンを表示する。Ｓ５３においては、回答操作があったか否かが判定される。回答は画面に表示された回答番号のアイコンを選択操作するようにしてもよいし、回答番号と対応するダイヤルキーの押下を検出するようにしてもよい。
【００２６】
Ｓ５４においては、画面データに含まれるプログラムに基づき、ブラウザがＧＰＳ制御部２９を制御して位置情報である緯度、経度情報を取得する。Ｓ５５においては、ユーザが入力した回答情報および位置情報をブラウザがサーバ２へ送信する。なお、ＧＰＳ機能が装備されていない携帯電話機の場合には、位置情報なしで回答情報のみを送信する。Ｓ５６においては、回答期限が過ぎたか、あるいは既に回答情報を送信済か否かが判定され、判定結果が否定の場合にはＳ５３に移行するが、肯定の場合にはＳ５７に移行する。Ｓ５７においては、携帯電話において設問処理の完了表示を行う。
【００２７】
Ｓ５８においては、サーバ２において回答情報を受信する。Ｓ５９においては、受信した情報中に位置情報（緯度経度情報）が含まれるか否かが判定され、判定結果が否定の場合にはＳ６０に移行する。Ｓ６０においては、例えば送信側ＵＲＬから回答を送信した端末の属する通信網が識別され、位置情報取得可能な網である場合には、通信網からおおよその位置情報を取得する。例えば、エリアサーバから端末の存在するエリア情報を取得可能である場合、または、端末に近い基地局がある場所の地名情報を取得可能である場合などがある。
【００２８】
Ｓ６１においては、位置情報を例えば都道府県別の地域情報に変換する。位置情報が緯度、経度情報である場合には、緯度経度ー地域情報変換テーブルを参照して緯度経度情報を地域情報に変換する。位置情報がエリア情報あるいは地名情報である場合には、エリアー地域情報変換テーブルあるいは地名ー地域情報変換テーブルを参照して地域（都道府県）情報に変換する。
【００２９】
Ｓ６２においては、回答情報を地域別に集計する。Ｓ６３においては、集計中間結果をＷｅｂ上で公開する。Ｗｅｂ上で公開される中間結果や最終結果の情報はＴＶ放送局１０において閲覧可能であり、ＴＶ放送局１０においては、必要に応じて中間結果や最終結果の情報を放送画面に取り込んで放映することができる。
【００３０】
Ｓ６４においては、回答受け付けの期限が過ぎたか否かが判定される。そして、判定結果が否定の場合にはＳ５８に戻る。Ｓ６５においては、クイズの正解や正解率、アンケートの集計結果等の最終結果をＷｅｂ上で公開し、また端末１へ最終結果を送信する。Ｓ６６においては、アプリがサーバから受信した結果情報に基づき、正解、正解率、アンケートの集計結果等を表示する。図９は、端末におけるアンケート集計結果の表示例を示す説明図である。
以上のような構成および動作によって携帯電話のユーザが番組と連動する設問に簡単に参加することができ、かつユーザからの回答情報と共に地域情報を自動的に取得することができる。
【００３１】
次に、本発明の第２実施例について説明する。第２実施例は、専用のアプリを使用して、番組とのより高度な連携処理を行う例である。図５は、本発明の第２実施例の設問処理の概要を示すフローチャートである。なお、この実施例においては、設問処理は常時ではなく、特定の番組のみにサービスされるものとするが、全ての放送番組に対して常時設問処理をサービスすることも可能である。
【００３２】
Ｓ１０においては、まずユーザが携帯電話１のブラウザを用いてサーバ２にアクセスし、ユーザ登録を行う。次に、Ｓ１１においては、携帯電話１がサーバ２から本発明によるアプリをダウンロードして保存する。Ｓ１２においては、ユーザが携帯電話１のブラウザを使用してサーバへアクセスし、番組への参加を登録する。Ｓ１３においては、番組開始時にサーバからのメール送信等によって携帯電話１のアプリを起動させる。Ｓ１４においては、アプリがサーバから番組のタイムスケジュールデータを取得する。Ｓ１５においては、アプリによって後述するような設問処理を行う。参加する形態としては例えば第１実施例において説明したアンケートやクイズ等の設問処理があり、ユーザの回答情報と共に端末の存在する地域情報が収集され、集計される。
【００３３】
図６は、本発明の第２実施例の設問処理における参加登録処理の内容を示すフローチャートである。このフローチャートは図５のＳ１２に対応する。Ｓ４０においては、携帯電話端末のブラウザを使用してサーバにアクセスする。なお、携帯電話網のキャリアから認定された公式サイト（サーバ）であれば、アクセスしてきた携帯電話のＵＩＤ（ユーザ固有の識別情報）を携帯電話網から取得可能であるので、ユーザの特定（認証）が可能である。また、ユーザＩＤとパスワードによって認証を行ってもよい。
【００３４】
Ｓ４１においては、サーバから参加が可能な番組のリストを送信する。Ｓ４２においては、ブラウザがリストを表示し、ユーザによって選択された番組の情報をサーバに送信する。Ｓ４３においては、サーバにおいてユーザの番組への参加を登録する。Ｓ４４においては、端末において登録の完了を表示する。
【００３５】
図７は、本発明の第２実施例の設問処理における携帯電話端末１およびサーバ２の処理内容を示すフローチャートである。このフローチャートは図５のＳ１３からＳ１５の部分に対応する。Ｓ２０においては、サーバがサービスを行う番組の開始時刻になるまで待つ。Ｓ２１においては、事前に番組への参加を登録した端末１に対して、事前にダウンロードされている本発明のアプリを起動するためのメールを送信する。
【００３６】
Ｓ２２においては、メール受信に基づいて直接あるいはユーザの操作によってアプリが起動する。起動方法は、例えば、メールにアプリ起動用のURL（Uniform Resource Locator）（=URI）を記載しておき、ユーザがメーラーでメールを開いて記載されているURLを選択操作することにより対応するアプリが起動するか、あるいはメーラーにおいてアプリ専用のメール受信ボックスにメールを保存し、そのメールを選択することにより、アプリが起動するものがある。あるいは、端末においてアプリ起動用のメールを受信することにより直接アプリを起動させることが可能であるものもある。なお、メール受信によって、ユーザがアプリを起動する操作を行ってもよい。
【００３７】
Ｓ２３においては、携帯電話端末１から時刻情報を送信する。Ｓ２４においては、サーバが端末から時刻情報を受信し、所定時間以上の誤差があり、修正する必要があれば修正指示（誤差情報あるいは現在時刻情報）を送信する。Ｓ２５においては、携帯電話において時計部２８の時刻を合わせる。
【００３８】
Ｓ２６においては、アプリがサーバ２に番組と連動する処理のスケジュール情報を要求する。Ｓ２７においては、サーバ２において要求を受信し、端末１に番組と連動する処理のタイムスケジュール情報を送信する。図８は、タイムスケジュール情報の内容例を示す説明図である。図示されているように、番組開始から終了までの間の各種処理の開始、終了時刻と処理内容が示されている。
【００３９】
Ｓ２８においては、アプリがスケジュール情報を受信して記憶部３０に保存する。Ｓ２９においては、アプリが番組と連動する初期画面（番組のタイトルなど）を表示する。Ｓ３０においては、アプリがスケジュール情報と現在時刻とを比較して、表示を更新する時刻が到来したか否かを判定する。そして、判定結果が肯定（時刻到来）の場合にはＳ３１に移行する。
【００４０】
Ｓ３１においては、スケジュールから処理内容を読み出す。処理内容としては、例えば第１実施例において説明したクイズ処理、アンケート処理等の設問処理の他、番組関連詳細情報表示処理、プレゼント応募処理、リクエスト処理、番組関連着メロダウンロード処理、商品購入予約処理などがある。
【００４１】
Ｓ３２、Ｓ３３においては、アプリおよびサーバによって、例えば図４に示した設問処理と同様の処理が実行される。なお携帯電話側はブラウザではなく、本発明のアプリが処理を行う。アプリは表示等に必要なデータをサーバ２から取得し、クイズやアンケートの回答情報をサーバ２に送信する。この際に位置情報が取得可能であれば取得され、回答情報に付加される。サーバ２は表示情報の送信および携帯電話からの回答（操作）情報の受信、集計等を行う。Ｓ３４においては、例えば現在時刻が番組連動処理タイムスケジュールの終了時刻に達したか否かが判定され、まだ処理が残っている場合にはＳ３０に戻る。
【００４２】
以上実施例を説明したが、本発明には以下のような変形例も考えられる。実施例においては、放送番組と連動する設問処理の例を開示したが、本発明の設問処理は携帯電話機単独でも実施可能である。実施例においては、番組との連動について説明したが、民放において番組中に挿入される宣伝広告との連動も可能である。この場合には、連動処理として商品やサービスのより詳細な説明、商品と関連するホームページのＵＲＬの提供、資料請求、購入予約などの処理を行うようにしてもよい。
【００４３】
第２実施例においては、回答毎に位置情報を付加する例を開示したが、番組放送中には端末の位置は変わらない可能性が高いので、例えば番組開始時等に１回だけ端末の位置情報の収集処理を行い、変換した地域情報をユーザ対応に記憶しておき、回答情報に対応する地域情報を付加するようにしてもよい。また、この処理をタイムスケジュールの中に登録しておいてもよい。第２実施例においては、起動用メールは単にアプリを起動するのみの機能である場合について説明したが、起動用メールに番組のスケジュール情報を格納／添付してもよい。この場合には携帯電話機はアプリ起動時にサーバとの間で時刻確認、修正のみ行えばよい。
【産業上の利用可能性】
【００４４】
本発明は、携帯電話機等の携帯端末、サーバ装置、携帯電話網、インターネット等を含むデータ通信システム、情報処理システムの産業分野で利用可能である。
【図面の簡単な説明】
【００４５】
【図１】本発明の実施例のシステム全体を示す概略構成図である。
【図２】本実施の形態による携帯電話の内部構成例を示すブロック図である。
【図３】本実施例によるサーバの内部構成例を示すブロック図である。
【図４】本発明の設問処理の内容を示すフローチャートである。
【図５】本発明の第２実施例の設問処理の概要を示すフローチャートである。
【図６】本発明の第２実施例の設問処理における参加登録処理の内容を示すフローチャートである。
【図７】本発明の第２実施例の設問処理における携帯電話端末およびサーバの処理内容を示すフローチャートである。
【図８】タイムスケジュール情報の内容例を示す説明図である。
【図９】端末におけるアンケート集計結果の表示例を示す説明図である。
【符号の説明】
【００４６】
１…携帯電話機
２…サーバ
３…データベース
４…インターネット
５…携帯電話網
６…パケット網
７…ゲートウェイサーバ
９…基地局
１０…ＴＶ放送局
１１…テレビ受信機
【図１】
2005332161.tif 000003
【図２】
2005332161.tif 000004
【図３】
2005332161.tif 000005
【図４】
2005332161.tif 000006
【図５】
2005332161.tif 000007
【図６】
2005332161.tif 000008
【図７】
2005332161.tif 000009
【図８】
2005332161.tif 000010
【図９】
2005332161.tif 000011